(57)【要約】  特にセキュリティ用途のために、体積ホログラム、並びにレンチキュラーレンズ及びホログラムの組み合わせが提供される。実施形態では、体積ホログラムは、照明時に第１画像（１１０）を再生する第１光学干渉構造を含む、ホログラフィック媒体（１０２）を含み、第１画像は、一連のレンチキュールを含むレンチキュラーレンズ層（１１１）と、一連のレンチキュールに対応する第１（１１４）及び第２（１１５）のインターレース画像を含むレンチキュラー画像層（１１３）と、を含む。【選択図】図１
2021500604.tif 000002
【特許請求の範囲】
【請求項１】
ホログラフィック媒体を含む体積ホログラムであって、
前記ホログラフィック媒体が、照明時に第１画像を再生する第１光学干渉構造を含み、
前記第１画像が、一連のレンチキュールを含むレンチキュラーレンズ層と、前記一連のレンチキュールに対応する第１及び第２インターレース画像を含むレンチキュラー画像層と、を含む、体積ホログラム。
【請求項２】
前記第１インターレース画像が第１データを含む、請求項１に記載のホログラム。
【請求項３】
前記第２インターレース画像が第２データを含む、請求項１又は２に記載のホログラム。
【請求項４】
前記第１及び／又は第２データが、セキュリティ、検証、確証、識別、及び／又は認証データを含む、請求項２又は３に記載のホログラム。
【請求項５】
前記レンチキュラー画像層が、前記一連のレンチキュールに対応する少なくとも１つのさらなるインターレース画像を含む、請求項１〜４のいずれか１項に記載のホログラム。
【請求項６】
前記少なくとも１つのさらなるインターレース画像が、さらなるデータを含む、請求項５に記載のホログラム。
【請求項７】
前記さらなるデータが、セキュリティ、検証、確証、識別、及び／又は認証データを含む、請求項６に記載のホログラム。
【請求項８】
請求項２、３、及び６のうちの少なくとも２つに直接又は間接的に従属する場合、前記第１データ、第２データ、及び／又はさらなるデータのうちの少なくとも２つが、共通暗号化された要素を含有する、請求項１〜７のいずれか１項に記載のホログラム。
【請求項９】
前記第１光学干渉構造が、照明時に第１波長の光で前記第１画像を再生し、
前記ホログラフィック媒体が、照明時に第２波長の光で第２画像を再生する、第２光学干渉構造をさらに含む、請求項１〜８のいずれか１項に記載のホログラム。
【請求項１０】
前記第１光学干渉構造が、照明時に第１角度で前記第１画像を再生し、
前記ホログラフィック媒体が、照明時に第２角度で第２画像を再生する、第２光学干渉構造をさらに含む、請求項１〜９のいずれか１項に記載のホログラム。
【請求項１１】
前記第１光学干渉構造が、照明時に第１見かけの深さで前記第１画像を再生し、
前記ホログラフィック媒体が、照明時に第２見かけの深さで第２画像を再生する、第２光学干渉構造をさらに含む、請求項１〜１０のいずれか１項に記載のホログラム。
【請求項１２】
請求項１〜１１のいずれか１項に記載の体積ホログラムを作成する方法であって、前記方法が、ホログラフィック媒体に、一連のレンチキュールを含むレンチキュラーレンズ層、及び前記一連のレンチキュールに対応する第１及び第２インターレース画像を含むレンチキュラー画像層の画像を再生する、第１光学干渉構造を記録することを含む、方法。
【請求項１３】
ホログラムへのレンチキュラーレンズ層の組み合わせであって、
前記レンチキュラーレンズ層が、一連のレンチキュールを含み、
前記ホログラムが、ホログラフィック媒体レンチキュラー画像層を含み、前記レンチキュラー画像層が、前記一連のレンチキュールに対応する第１及び第２インターレース光学干渉構造を含み、
前記第１光学干渉構造が、照明時に第１画像を再生し、
前記第２光学干渉構造が、照明時に第２画像を再生する、組み合わせ。
【請求項１４】
前記第１画像が第１データを含む、請求項１３に記載の組み合わせ。
【請求項１５】
前記第２画像が第２データを含む、請求項１３又は１４に記載の組み合わせ。
【請求項１６】
前記第１及び／又は第２データが、セキュリティ、検証、確証、識別、及び／又は認証データを含む、請求項１４又は１５に記載の組み合わせ。
【請求項１７】
前記ホログラフィック媒体が、前記一連のレンチキュールに対応する少なくとも１つのさらなるインターレース干渉構造を含み、前記少なくとも１つのさらなるインターレース干渉構造が、照明時にさらなる画像を再生する、請求項１３〜１６のいずれか１項に記載の組み合わせ。
【請求項１８】
前記少なくとも１つのさらなるインターレース画像が、さらなるデータを含む、請求項１７に記載の組み合わせ。
【請求項１９】
前記さらなるデータが、セキュリティ、検証、確証、識別、及び／又は認証データを含む、請求項１８に記載の組み合わせ。
【請求項２０】
請求項２、３、及び１８のうちの少なくとも２つに直接又は間接的に従属する場合、前記第１データ、第２データ、及び／又はさらなるデータのうちの少なくとも２つが、共通暗号化された要素を含有する、請求項１３〜１９のいずれか１項に記載の組み合わせ。
【請求項２１】
請求項１３〜２０のいずれか１項に記載の組み合わせを作成する方法であって、前記方法が、
一連のレンチキュールを含むレンチキュラーレンズ層、及びホログラフィック媒体を含むホログラム、を提供することと、
前記ホログラフィック媒体にレンチキュラー画像層を記録することと、を含み、前記記録することが、
前記ホログラフィック媒体に、照明時に第１画像を再生する第１光学干渉構造を記憶すること、及び前記ホログラフィック媒体に、照明時に第２画像を再生する第２光学干渉構造を記憶すること、を含み、
前記第１及び第２光学干渉構造が、インターレース干渉構造であり、前記一連のレンチキュールに対応する、方法。
【請求項２２】
ホログラフィック媒体を含む体積ホログラムであって、
前記ホログラフィック媒体が、
照明時に第１波長の光で、第１データを含む第１画像を再生する、第１光学干渉構造と、
照明時に第２波長の光で、第２データを含む第２画像を再生する、第２光学干渉構造と、を含む、体積ホログラム。
【請求項２３】
前記ホログラフィック媒体が、照明時にさらなる波長の光で、さらなるデータを含むさらなる画像を再生する、少なくとも１つのさらなる光学干渉構造をさらに含む、請求項２２に記載のホログラム。
【請求項２４】
前記第１データ、第２データ、及び／又はさらなるデータが、セキュリティ、検証、確証、識別、及び／又は認証データを含む、請求項２２又は２３に記載のホログラム。
【請求項２５】
前記第１データ、第２データ、及び／又はさらなるデータが、共通暗号化された要素を含有する、請求項２２〜２４のいずれか１項に記載のホログラム。
【請求項２６】
前記第１画像、第２画像、及び／又は存在する場合にはさらなる画像が、一連のレンチキュールを含むレンチキュラーレンズ層と、前記一連のレンチキュールに対応する第１及び第２インターレース画像を含むレンチキュラー画像層と、を含む、請求項２２〜２５のいずれか１項に記載のホログラム。
【請求項２７】
前記第１光学干渉構造が、照明時に第１角度で前記第１画像を再生し、
前記第２光学干渉構造が、照明時に第２角度で前記第２画像を再生する、請求項２２〜２６のいずれか１項に記載のホログラム。
【請求項２８】
請求項２３に直接又は間接的に従属する場合、前記少なくとも１つのさらなる光学干渉構造が、照明時にさらなる角度で前記さらなる画像を再生する、請求項２７に記載のホログラム。
【請求項２９】
前記第１光学干渉構造が、照明時に第１見かけの深さで前記第１画像を再生し、
前記第２光学干渉構造が、照明時に第２見かけの深さで前記第２画像を再生する、請求項２２〜２８のいずれか１項に記載のホログラム。
【請求項３０】
請求項２３に直接又は間接的に従属する場合、前記少なくとも１つのさらなる光学干渉構造が、照明時にさらなる見かけの深さで前記さらなる画像を再生する、請求項２９に記載のホログラム。
【請求項３１】
請求項２２〜３０のいずれか１項に記載の体積ホログラムを作成する方法であって、前記方法が、ホログラフィック媒体に、照明時に第１波長の光で、第１データを含む第１画像を再生する、第１光学干渉構造を記録することと、照明時に第２波長の光で、第２データを含む第２画像を再生する、第２光学干渉構造を記録することと、を含む、方法。
【請求項３２】
前記方法が、前記ホログラフィック媒体に、照明時にさらなる波長の光で、さらなるデータを含むさらなる画像を再生する、少なくとも１つのさらなる光学干渉構造を記憶することをさらに含む、請求項３１に記載の体積ホログラムを作成する方法。
【請求項３３】
ホログラフィック媒体を含む体積ホログラムであって、前記ホログラフィック媒体が、
照明時に第１角度で、第１データを含む第１画像を再生する、第１光学干渉構造と、
照明時に第２角度で、第２データを含む第２画像を再生する、第２光学干渉構造と、を含む、体積ホログラム。
【請求項３４】
前記ホログラフィック媒体が、照明時にさらなる角度で、さらなるデータを含むさらなる画像を再生する、少なくとも１つのさらなる光学干渉構造をさらに含む、請求項３３に記載のホログラム。
【請求項３５】
前記第１データ、第２データ、及び／又はさらなるデータが、セキュリティ、検証、確証、識別、及び／又は認証データを含む、請求項３３又は３４に記載のホログラム。
【請求項３６】
前記第１データ、第２データ、及び／又はさらなるデータが、共通暗号化された要素を含有する、請求項３３、３４、又は３５に記載のホログラム。
【請求項３７】
前記第１画像、第２画像、及び／又は存在する場合にはさらなる画像が、一連のレンチキュールを含むレンチキュラーレンズ層と、前記一連のレンチキュールに対応する第１及び第２インターレース画像を含むレンチキュラー画像層と、を含む、請求項３３〜３６のいずれか１項に記載のホログラム。
【請求項３８】
前記第１光学干渉構造が、照明時に第１波長の光で前記第１画像を再生し、
前記第２光学干渉構造が、照明時に第２波長の光で前記第２画像を再生する、請求項３３〜３７のいずれか１項に記載のホログラム。
【請求項３９】
請求項３３に直接又は間接的に従属する場合、前記少なくとも１つのさらなる光学干渉構造が、照明時にさらなる波長の光で前記さらなる画像を再生する、請求項３８に記載のホログラム。
【請求項４０】
前記第１光学干渉構造が、照明時に第１見かけの深さで前記第１画像を再生し、
前記第２光学干渉構造が、照明時に第２見かけの深さで前記第２画像を再生する、請求項３３〜３９のいずれか１項に記載のホログラム。
【請求項４１】
請求項３３に直接又は間接的に従属する場合、前記少なくとも１つのさらなる光学干渉構造が、照明時にさらなる見かけの深さで前記さらなる画像を再生する、請求項４０に記載のホログラム。
【請求項４２】
請求項３３〜４１のいずれか１項に記載のホログラムを作成する方法であって、前記方法が、ホログラフィック媒体に、照明時に第１角度で、第１データを含む第１画像を再生する、第１光学干渉構造を記録することと、照明時に第２角度で、第２データを含む第２画像を再生する、第２光学干渉構造を記録することと、を含む、方法。
【請求項４３】
ホログラフィック媒体を含む体積ホログラムであって、
前記ホログラフィック媒体が、
照明時に第１見かけの深さで、第１データを含む第１画像を再生する、第１光学干渉構造と、
照明時に第２見かけの深さで、第２データを含む第２画像を再生する、第２光学干渉構造と、を含む、体積ホログラム。
【請求項４４】
前記ホログラフィック媒体が、照明時に、さらなるデータを含むさらなる画像を再生する、少なくとも１つのさらなる光学干渉構造をさらに含む、請求項４３に記載のホログラム。
【請求項４５】
前記第１データ、第２データ、及び／又はさらなるデータが、セキュリティ、検証、確証、識別、及び／又は認証データを含む、請求項４３又は４４に記載のホログラム。
【請求項４６】
前記第１データ、第２データ、及び／又はさらなるデータが、共通暗号化された要素を含有する、請求項４３、４４、又は４５に記載のホログラム。
【請求項４７】
前記第１画像、第２画像、及び／又は存在する場合にはさらなる画像が、一連のレンチキュールを含むレンチキュラーレンズ層と、前記一連のレンチキュールに対応する第１及び第２インターレース画像を含むレンチキュラー画像層と、を含む、請求項４３〜４６のいずれか１項に記載のホログラム。
【請求項４８】
前記第１光学干渉構造が、照明時に第１波長の光で前記第１画像を再生し、
前記第２光学干渉構造が、照明時に第２波長の光で前記第２画像を再生する、請求項４３〜４７のいずれか１項に記載のホログラム。
【請求項４９】
請求項４３に直接又は間接的に従属する場合、前記少なくとも１つのさらなる光学干渉構造が、照明時にさらなる波長の光で前記さらなる画像を再生する、請求項４８に記載のホログラム。
【請求項５０】
前記第１光学干渉構造が、照明時に第１角度で前記第１画像を再生し、
前記第２光学干渉構造が、照明時に第２角度で前記第２画像を再生する、請求項４３〜４９のいずれか１項に記載のホログラム。
【請求項５１】
請求項４５に直接又は間接的に従属する場合、前記少なくとも１つのさらなる光学干渉構造が、照明時にさらなる角度で前記さらなる画像を再生する、請求項４３〜５０のいずれか１項に記載のホログラム。
【請求項５２】
請求項４２〜５０のいずれか１項に記載の体積ホログラムを作成する方法であって、前記方法が、ホログラフィック媒体に、第１見かけの深さで、第１データを含む第１画像を再生する、第１光学干渉構造を記録することと、第２見かけの深さで、第２データを含む第２画像を再生する、第２光学干渉構造を記録することと、を含む、方法。
【請求項５３】
ｉ．請求項１３〜２１、及び／又は、
ｉｉ．請求項２２〜３２、及び／又は、
ｉｉｉ．請求項３３〜４２、及び／又は、
ｉｖ．請求項４３〜５２、に記述される特徴のうちの１つ以上もしくはすべてを含む、請求項１〜１１のいずれか１項に記載のホログラム。
【請求項５４】
ｉ．請求項１〜１２、及び／又は、
ｉｉ．請求項２２〜３２、及び／又は、
ｉｉｉ．請求項３３〜４２、及び／又は、
ｉｖ．請求項４３〜５２、に記述される特徴のうちの１つ以上もしくはすべてを含む、請求項１３〜２０のいずれか１項に記載のホログラムへのレンチキュラーレンズ層の組み合わせ。
【請求項５５】
ｉ．請求項１〜１２、及び／又は、
ｉｉ．請求項１３〜２１、及び／又は、
ｉｉｉ．請求項３３〜４２、及び／又は、
ｉｖ．請求項４３〜５２、に記述される特徴のうちの１つ以上もしくはすべてを含む、請求項２２〜３０のいずれか１項に記載のホログラム。
【請求項５６】
ｉ．請求項１〜１２、及び／又は、
ｉｉ．請求項１３〜２１、及び／又は、
ｉｉｉ．請求項２２〜３２、及び／又は、
ｉｖ．請求項４３〜５２、に記述される特徴のうちの１つ以上もしくはすべてを含む、請求項３３〜４１のいずれか１項に記載のホログラム。
【請求項５７】
ｉ．請求項１〜１２、及び／又は、
ｉｉ．請求項１３〜２１、及び／又は、
ｉｉｉ．請求項２２〜３２、及び／又は、
ｉｖ．請求項３３〜４２、に記述される特徴のうちの１つ以上もしくはすべてを含む、請求項４３〜５１のいずれか１項に記載のホログラム。
【請求項５８】
請求項１〜１１、２２〜３０、３３〜４１、もしくは４３〜５１、５３、もしくは５５〜５７のいずれか１項に記載のホログラム、及び／又は請求項１３〜２０もしくは５４のいずれか１項に記載の組み合わせを含む、セキュリティマーカー。
【請求項５９】
請求項１〜１１、２２〜３０、３３〜４１、あるいは４３〜５１、５３、もしくは５５〜５７のいずれか１項に記載のホログラム、及び／又は請求項１３〜２０もしくは５４のいずれか１項に記載の組み合わせを含む、物品。
【請求項６０】
請求項１〜１１、２２〜３０、３３〜４１、あるいは４３〜５１、５３、もしくは５５〜５７のいずれか１項に記載のホログラム、及び／又は請求項１３〜２０もしくは５４のいずれか１項に記載の組み合わせを含む、パッケージング又はラベリング。
【請求項６１】
物品及び、請求項６０に記載のパッケージング又はラベリング。
【発明の詳細な説明】
【技術分野】
【０００１】
本明細書は、ホログラムに関する。特に、排他的ではないが、本明細書は、安全なホログラムに関する。さらに、認証性を指標することができ、かつ／又はコピーすることが困難もしくは不可能であり得る、安全なホログラムを提供することが、本明細書の非排他的な目的である。
【背景技術】
【０００２】
認証性を指標するために、物品又はそれらのパッケージング又はラベリング上にホログラムを含めることが知られている。しかしながら、一部のホログラムはコピーされ得る。認証性の信頼できる指標であり、かつ／又はコピーすることが困難もしくは不可能であるホログラムを提供することが非排他的な目的である。
【発明の概要】
【０００３】
ホログラフィック媒体を含む体積ホログラムであって、
ホログラフィック媒体が、照明時に第１画像を再生する第１光学干渉構造を含み、
第１画像が、一連のレンチキュールを含むレンチキュラーレンズ層と、一連のレンチキュールに対応する第１及び第２インターレース画像を含むレンチキュラー画像層と、を含む、体積ホログラムが提供される。
【０００４】
第１インターレース画像は第１データを含み得る。
【０００５】
第２インターレース画像は第２データを含み得る。
【０００６】
第１及び／又は第２データは、セキュリティ、検証、確証、識別、及び／又は認証データを含み得る。
【０００７】
レンチキュラー画像層は、一連のレンチキュールに対応する少なくとも１つのさらなるインターレース画像を含み得る。
【０００８】
少なくとも１つのさらなるインターレース画像は、さらなるデータを含み得る。
【０００９】
さらなるデータは、セキュリティ、検証、確証、識別、及び／又は認証データを含み得る。
【００１０】
第１データ、第２データ、及び／又はさらなるデータのうちの少なくとも２つは、共通暗号化された要素を含有し得る。
【００１１】
第１光学干渉構造は、照明時に第１波長の光で第１画像を再生することができ、ホログラフィック媒体は、照明時に第２波長の光で第２画像を再生する、第２光学干渉構造をさらに含み得る。
【００１２】
第１光学干渉構造は、照明時に第１角度で第１画像を再生することができ、ホログラフィック媒体は、照明時に第２角度で第２画像を再生する、第２光学干渉構造をさらに含み得る。
【００１３】
第１光学干渉構造は、照明時に第１見かけの深さで第１画像を再生することができ、ホログラフィック媒体は、照明時に第２見かけの深さで第２画像を再生する、第２光学干渉構造をさらに含み得る。
【００１４】
体積ホログラムを作成する方法であって、方法が、ホログラフィック媒体に、
一連のレンチキュールを含むレンチキュラーレンズ層、並びに一連のレンチキュールに対応する第１及び第２インターレース画像を含むレンチキュラー画像層の画像を再生する、第１光学干渉構造を記録することを含む、方法も提供される。
【００１５】
ホログラムへのレンチキュラーレンズ層の組み合わせであって、
レンチキュラーレンズ層が、一連のレンチキュールを含み、
ホログラムが、ホログラフィック媒体レンチキュラー画像層を含み、レンチキュラー画像層が、一連のレンチキュールに対応する第１及び第２インターレース干渉構造を含み、
第１干渉構造が、照明時に第１画像を再生し、
第２干渉構造が、照明時に第２画像を再生する、組み合わせも提供される。
【００１６】
第１画像は第１データを含み得る。
【００１７】
第２画像は第２データを含み得る。
【００１８】
第１及び／又は第２データは、セキュリティ、検証、確証、識別、及び／又は認証データを含み得る。
【００１９】
ホログラフィック媒体は、一連のレンチキュールに対応する少なくとも１つのさらなるインターレース干渉構造を含むことができ、少なくとも１つのさらなるインターレース干渉構造は、照明時にさらなる画像を再生することができる。
【００２０】
少なくとも１つのさらなるインターレース画像は、さらなるデータを含み得る。
【００２１】
さらなるデータは、セキュリティ、検証、確証、識別、及び／又は認証データを含み得る。
【００２２】
第１データ、第２データ、及び／又はさらなるデータのうちの少なくとも２つは、共通暗号化された要素を含有し得る。
【００２３】
組み合わせを作成する方法であって、方法が、一連のレンチキュールを含むレンチキュラーレンズ層、及びホログラフィック媒体を含むホログラム、を提供することと、
ホログラフィック媒体にレンチキュラー画像層を記録することと、を含み、記録することが、
ホログラフィック媒体に、照明時に第１画像を再生する、第１光学干渉構造を記録すること、及び
ホログラフィック媒体に、照明時に第２画像を再生する、第２光学干渉構造を記録すること、を含み、
第１及び第２光学干渉構造が、インターレース干渉構造であり、一連のレンチキュールに対応する、方法も提供される。
【００２４】
ホログラフィック媒体を含む体積ホログラムであって、
ホログラフィック媒体が、
照明時に第１波長の光で、第１データを含む第１画像を再生する、第１光学干渉構造と、
照明時に第２波長の光で、第２データを含む第２画像を再生する、第２光学干渉構造と、を含む、体積ホログラムも提供される。
【００２５】
ホログラフィック媒体は、照明時にさらなる波長の光で、さらなるデータを含むさらなる画像を再生する、少なくとも１つのさらなる光学干渉構造をさらに含み得る。
【００２６】
第１データ、第２データ、及び／又はさらなるデータは、セキュリティ、検証、確証、識別、及び／又は認証データを含み得る。
【００２７】
第１データ、第２データ、及び／又はさらなるデータは、共通暗号化された要素を含有し得る。
【００２８】
第１画像、第２画像、及び／又はさらなる画像は、一連のレンチキュールを含むレンチキュラーレンズ層と、一連のレンチキュールに対応する第１及び第２インターレース画像を含むレンチキュラー画像層と、を含み得る。
【００２９】
第１光学干渉構造は、照明時に第１角度で第１画像を再生することができ、第２光学干渉構造は、照明時に第２角度で第２画像を再生することができる。
【００３０】
少なくとも１つのさらなる光学干渉構造は、照明時にさらなる角度でさらなる画像を再生することができる。
【００３１】
第１光学干渉構造は、照明時に第１見かけの深さで第１画像を再生することができ、第２光学干渉構造は、照明時に第２見かけの深さで第２画像を再生することができる。
【００３２】
少なくとも１つのさらなる光学干渉構造は、照明時にさらなる見かけの深さでさらなる画像を再生することができる。
【００３３】
体積ホログラムを作成する方法であって、方法が、ホログラフィック媒体に、照明時に第１波長の光で、第１データを含む第１画像を再生する、第１光学干渉構造を記録することと、照明時に第２波長の光で、第２データを含む第２画像を再生する、第２光学干渉構造を記録することと、を含む、方法も提供される。
【００３４】
方法は、ホログラフィック媒体に、照明時にさらなる波長の光で、さらなるデータを含むさらなる画像を再生する、少なくとも１つのさらなる光学干渉構造を記憶することをさらに含み得る。
【００３５】
ホログラフィック媒体を含む体積ホログラムであって、ホログラフィック媒体が、
照明時に第１角度で、第１データを含む第１画像を再生する、第１光学干渉構造と、
照明時に第２角度で、第２データを含む第２画像を再生する、第２光学干渉構造と、を含む、体積ホログラムも提供される。
【００３６】
ホログラフィック媒体は、照明時にさらなる角度で、さらなるデータを含むさらなる画像を再生する、少なくとも１つのさらなる光学干渉構造をさらに含み得る。
【００３７】
第１データ、第２データ、及び／又はさらなるデータは、セキュリティ、検証、確証、識別、及び／又は認証データを含み得る。
【００３８】
第１データ、第２データ、及び／又はさらなるデータは、共通暗号化された要素を含有し得る。
【００３９】
第１画像、第２画像、及び／又はさらなる画像は、一連のレンチキュールを含むレンチキュラーレンズ層と、一連のレンチキュールに対応する第１及び第２インターレース画像を含むレンチキュラー画像層と、を含み得る。
【００４０】
第１光学干渉構造は、照明時に第１波長の光で第１画像を再生することができ、第２光学干渉構造は、照明時に第２波長の光で第２画像を再生することができる。
【００４１】
少なくとも１つのさらなる光学干渉構造は、照明時にさらなる波長の光でさらなる画像を再生することができる。
【００４２】
第１光学干渉構造は、照明時に第１見かけの深さで第１画像を再生することができ、第２光学干渉構造は、照明時に第２見かけの深さで第２画像を再生することができる。
【００４３】
少なくとも１つのさらなる光学干渉構造は、照明時にさらなる見かけの深さでさらなる画像を再生することができる。
【００４４】
体積ホログラムを作成する方法であって、方法が、ホログラフィック媒体に、照明時に第１角度で、第１データを含む第１画像を再生する、第１光学干渉構造を記録することと、照明時に第２角度で、第２データを含む第２画像を再生する、第２光学干渉構造を記録することと、を含む、方法も提供される。
【００４５】
ホログラフィック媒体を含む体積ホログラムであって、
ホログラフィック媒体が、
照明時に第１見かけの深さで、第１データを含む第１画像を再生する、第１光学干渉構造と、
照明時に第２見かけの深さで、第２データを含む第２画像を再生する、第２光学干渉構造と、を含む、体積ホログラムも提供される。
【００４６】
ホログラフィック媒体は、照明時に、さらなるデータを含むさらなる画像を再生する、少なくとも１つのさらなる光学干渉構造をさらに含み得る。
【００４７】
第１データ、第２データ、及び／又はさらなるデータは、セキュリティ、検証、確証、識別、及び／又は認証データを含み得る。
【００４８】
第１データ、第２データ、及び／又はさらなるデータは、共通暗号化された要素を含有し得る。
【００４９】
第１画像、第２画像、及び／又はさらなる画像は、一連のレンチキュールを含むレンチキュラーレンズ層と、一連のレンチキュールに対応する第１及び第２インターレース画像を含むレンチキュラー画像層と、を含み得る。
【００５０】
第１光学干渉構造は、照明時に第１波長の光で第１画像を再生することができ、第２光学干渉構造は、照明時に第２波長の光で第２画像を再生することができる。
【００５１】
少なくとも１つのさらなる光学干渉構造は、照明時にさらなる波長の光でさらなる画像を再生することができる。
【００５２】
第１光学干渉構造は、照明時に第１角度で第１画像を再生することができ、第２光学干渉構造は、照明時に第２角度で第２画像を再生することができる。
【００５３】
少なくとも１つのさらなる光学干渉構造は、照明時にさらなる角度でさらなる画像を再生することができる。
【００５４】
体積ホログラムを作成する方法であって、方法が、ホログラフィック媒体に、第１見かけの深さで、第１データを含む第１画像を再生する、第１光学干渉構造を記録することと、第２見かけの深さで、第２データを含む第２画像を再生する、第２光学干渉構造を記録することと、を含む、方法も提供される。
【００５５】
本明細書に記載されるホログラム、及び／又は本明細書に記載される組み合わせを含む、セキュリティマーカーも提供される。
【００５６】
本明細書に記載されるホログラム、及び／又は本明細書に記載される組み合わせを含む、物品も提供される。
【００５７】
本明細書に記載されるホログラム、及び／又は本明細書に記載される組み合わせを含む、パッケージング又はラベリングも提供される。
【００５８】
本明細書に記載される、物品、及びパッケージング又はラベリングも提供される。
【図面の簡単な説明】
【００５９】
ここで、本明細書のホログラム及び組み合わせの実施形態を、添付の図面を参照して説明する。
【図１】レンチキュラーレンズ層及びレンチキュラー画像層を含む第１画像を再生する、光学干渉構造を含むホログラムの一実施形態の概略図を示す。
【図２】図１のホログラムの第１画像を形成するための、例示的なレンチキュラーレンズ層及びレンチキュラー画像層の概略図を示す。
【図３】ホログラムへのレンチキュラーレンズ層の組み合わせの一実施形態の概略図を示す。
【図４】照明時に第１波長の光で第１画像を再生し、照明時に第２波長の光で第２画像を再生する、ホログラムの一実施形態の概略図を示す。
【図５】照明時に第１角度で第１画像を再生し、照明時に第２角度で第２画像を再生する、ホログラムの一実施形態の概略図を示す。
【図６】第１見かけの深さで第１画像を再生し、第２見かけの深さで第２画像を再生する、ホログラムの一実施形態の概略図を示す。
【図７】図６のホログラムによって再生されたホログラフィック画像の概略図を示す。
【発明を実施するための形態】
【００６０】
表面ホログラムは、エンボス加工によってコピーされ得る。かかるプロセスは、典型的には、ホログラフィック媒体へのニッケルの電着を伴う。次いで、ニッケル層をホログラムから分離し、それを使用してホログラムをさらに刻印する。しかしながら、体積ホログラムは、エンボス加工によってコピーすることができない。これは、光学干渉構造がホログラフィック媒体の平面内にあり、ホログラムの表面上にないためである。したがって、体積ホログラムは、本質的に、表面ホログラムよりもコピーすることが困難である。しかしながら、体積ホログラムを光学的にコピーすることができる。したがって、本明細書は、光学的にコピーすることが困難又は不可能である、体積ホログラムを提供しようと努める。
【００６１】
最初に図１を参照すると、ホログラフィック媒体１０２を含む体積ホログラム１００が示されている。体積ホログラム１００は、画像平面体積ホログラムであり得る。
【００６２】
本明細書によって提供されるホログラムは、幅広い適用性を有し、広範囲の既知の体積ホログラム材料から作成され得る。例えば、体積ホログラフィック媒体１０２は、フォトポリマーであり得るか、又はフォトポリマーを含み得る。
【００６３】
ホログラフィック媒体１０２は、照明時に第１画像１１０を再生する、第１光学干渉構造を含む。第１画像１１０は、それを観察者が視認することができるように、図１に概略的に例示されている。しかしながら、第１画像１１０がホログラフィック媒体１０２の第１光学干渉構造によって再生されること、第１画像１１０がホログラム内の物理的な実体ではないが、説明の目的で図１にそのように例示されていることが理解されなければならない。
【００６４】
第１画像１１０は、一連のレンチキュール１１２を含むレンチキュラーレンズ層１１１と、レンチキュラー画像層１１３と、を含む。レンチキュラー画像層１１３は、第１インターレース画像１１４と、第２インターレース画像１１５と、を含む。第１及び第２インターレース画像１１４、１１５は、一連のレンチキュール１１２に対応する。
【００６５】
体積ホログラム１００は、次のように説明することができる。体積ホログラム１００は、ホログラフィック媒体１０２を含み、ホログラフィック媒体１０２は、照明時にｚ方向の第１深さで第１画像１１０を再生する第１光学干渉構造を含み、第１画像は、２つのインターレース画像１１４、１１５を含有するホログラフィックレンチキュラーレンズ層１１１を含む。換言すれば、第１画像１１は、ｚ方向の第１深さにあってもよい。並びに／又は、第１画像は、ホログラフィックレンチキュラーレンズ層を含むものとして説明され得る。並びに／又は、レンチキュラーレンズ層は、２つのインターレース画像（例えば、第１及び第２インターレース画像１１４、１１５）を含有するものとして説明され得る。
【００６６】
第１及び第２インターレース画像１１４、１１５は一連のレンチキュール１１２に対応するため、第１角度から視認すると、第１インターレース画像１１４が視認可能であり、第２角度から視認すると、第２インターレース画像１１５が視認可能である。これは図１に例示されており、ホログラム１００は、光６０１で照明された状態で示されている。光６０１は、ホログラフィック媒体１０２が第１画像１１０を再生するような方法で、ホログラム１００を照明し得る任意の好適な光であり得る。例えば、光６０１は、例えば、タングステンハロゲンスポットなどの白色光であり得る。第１場所、ひいては、第１角度から視認する、例えば、第１カメラ６０３によって視認すると、第１インターレース画像１１４が視認可能である。第１場所から視認すると、第１インターレース画像１１４が完全な画像として出現し得る。第１インターレース画像１１４の完全な画像の可能な視野６０４が、カメラ６０３に隣接して、図１に示されている。同様に、第２場所、ひいては、第２角度から視認する、例えば、
第２カメラ６０５によって視認すると、第２インターレース画像１１５が視認可能である。第２場所から視認すると、第２インターレース画像１１５が完全な画像として出現し得る。第２インターレース画像１１５の完全な画像の可能な視野６０６が、カメラ６０６に隣接して、図１に示されている。
【００６７】
したがって、ホログラム１００が有利であり得ることが理解されよう。第１に、ホログラムは、第１及び第２インターレース画像１１４、１１５の両方を、それらがインターレースされなかった場合、例えば、画像が並んで配置された場合に、第１及び第２インターレース画像１１４、１１５の両方を再生するのに必要とされ得るよりも小さいホログラフィック媒体で再生することができる。したがって、ホログラム１００は、所与のサイズの全画像を再生するために必要とされ得るホログラフィック媒体が少ないという環境上の利益を提供し得る。
【００６８】
追加的に、従来のホログラムは、いくぶん短い視差を有し得る。例えば、１０ｃｍ２のホログラムは、５ｃｍの視差を有し得る。一連のレンチキュール１１２を含むレンチキュラーレンズ層１１１及びレンチキュラー画像層１１３を含む、第１画像１１０を再生することによって、ホログラム１００の視差を効果的に拡大することができる。
【００６９】
さらに、ホログラムの光学コピーをより困難にすることができる。第１に、ホログラムを光学的にコピーしようと試みると、可能な第１及び第２視野６０４、６０５が小さなコピーエラーを際立たせる可能性がより高くなる場合があるため、コピー内の任意の小さなエラー、例えば視差のエラーが明らかになる可能性がより高くなる。第２に、ホログラム１００からの第１画像１１０の実際のバージョンの再構築は、再構築が、一連のレンチキュール１１２、第１インターレース画像１１４、及び第２インターレース画像１１５の３つの構成要素を再構築することを伴うため、困難になる可能性が高い。さらに、３つの構成要素の相対的な配置は、第１インターレース画像１１４及び第２インターレース画像１１５を表示するために、正しくなければならない。一連のレンチキュール１１２を含むレンチキュラーレンズ層１１１は図１の概略図で容易に観察可能であるが、これは、ホログラム１００を観察する場合には当てはまらない場合があることが理解されよう。ホログラム１００を構築するために使用される実際のレンチキュラーレンズ層は透明であり得るため、ホログラム１００のホログラフィック媒体１０２によって再生される画像１１０内も透明であることになる。理解されるように、ホログラム１００の観察からレンチキュラーレンズ層１１１を再構築することは、それを観察することができない場合、困難であろう。
【００７０】
図１では、光６０１からの光波６１１は、ホログラム１００のホログラフィック媒体１０２に入射するように示されている。さらに、ホログラム１００のホログラフィック媒体１０２によって再生された光波６１３は、第１カメラ６０３に向かって進行するように示されている。これらの光波６１３は、説明の目的で、第１画像１１０から発散されるように示されている。しかしながら、光波６１３は、実際には、ホログラムのホログラフィック媒体１０２から、具体的には、ホログラフィック媒体１０２の第１光学干渉構造から発散されることが理解されよう。同様に、光波６１５は、第１画像１１０から発散されるように示されている。しかしながら、光波６１５は、実際には、ホログラムのホログラフィック媒体１０２から、具体的には、ホログラフィック媒体１０２の第１光学干渉構造から発散される。
【００７１】
第１インターレース画像１１４は、第１データを含み得る。第１データは、任意の好ましい手段によって、第１インターレース画像１１４内に含有され得る。例えば、図１に表されるように、第１インターレース画像１１４は、第１視野６０４に見ることができるようなＱＲコードを含有し得、かつ／又はＱＲコードであり得る。但し、任意の他の手段、例えば、他のタイプのマトリックスバーコードもしくは線形バーコード、又は大容量カラーバーコードを使用することができる。画像内にデータを含めるための他の手段が知られており、ホログラム１００で使用され得る。
【００７２】
第２インターレース画像１１５は、第２データを含み得る。第１データと同様に、第２データは、任意の好ましい手段によって、第１インターレース画像１１４内に含有され得る。例えば、図１に表されるように、第２インターレース画像１１５は、第２視野６０５に見ることができるようなＱＲコードを含有し得、かつ／又はＱＲコードであり得る。この場合もまた、任意の他の手段、例えば、他のタイプのマトリックスバーコードもしくは線形バーコード、又は大容量カラーバーコードを使用することができる。画像内にデータを含めるための他の手段が知られており、ホログラム１００で使用され得る。
【００７３】
第１及び／又は第２データは、セキュリティ、検証、確証、識別、及び／又は認証データを含み得る。かかるデータを含めることは、かかるデータをホログラム１００内に有することにより、例えば、電子システムもしくは物理的な実体、又は他の安全な環境への安全なアクセスを可能にすることができる点において有利であり得る。代替的に、かかるデータを使用して、ホログラム１００の保持部の同一性を検証もしくは確証し、かつ／又は、例えば、ホログラム１００が固設された商品の原産国を検証することができる。代替的に、かかるデータを使用して、ホログラム１００の保持部を識別し、かつ／又は、例えば、ホログラム１００が固設された商品の原産国を識別することができる。代替的に、かかるデータを使用して、ホログラム１００の保持部の同一性を認証し、かつ／又は、例えば、ホログラム１００が固設された商品の原産国を認証することができる。ホログラム１００内のデータのかかる機能は、ホログラムが固設された誤った人物及び／又は物体が安全なもの、検証されたもの、確証されたもの、識別されたもの、及び／又は認証されたものとして別様に誤って識別され得るため、ホログラム１００がコピー困難であることを必要とし得ることが理解されよう。したがって、かかるデータ１００をホログラム１００内に含むことと、レンチキュラーレンズ層１１１を有する第１画像１１０、及び対応する第１及び第２インターレース画像１１４、１１５を使用することとの間には相乗効果が存在し得る。
【００７４】
図２を参照して例示されるように、レンチキュラー画像層１１３は、一連のレンチキュール１１２に対応する少なくとも１つのさらなるインターレース画像１１６を含み得る。さらなるインターレース画像を含むことにより、ホログラム１００は、所与のサイズのホログラム１００内にさらなる画像を含有することができる。ホログラム１００内の画像１１０はより複雑であるため、それをコピーすることはなおさらに困難であることも理解されよう。
【００７５】
第１画像１１０は、多数のさらなる画像、例えば、２つ、３つ、４つ、５つ、６つ、又はそれ以上のさらなる画像を含み得る。
【００７６】
第１及び第２インターレース画像１１４、１１５と同様に、少なくとも１つのさらなるインターレース画像１１６は、さらなるデータを含み得る。さらなるデータは、セキュリティ、検証、確証、識別、及び／又は認証データを含み得る。
【００７７】
第１データ、第２データ、及び／又はさらなるデータのうちの少なくとも２つは、共通暗号化された要素を含有し得る。例えば、第１データは暗号化されたデータを含有し得、第２データは暗号化キー（例えば、公開又は非公開暗号化キー）を含有し得る。この方法では、ホログラムが読み取られると、第１データは、第２データの暗号化キーを使用して解読され得る。暗号化は、解読が特定のソフトウェア又は解読キーもしくはアルゴリズムを必要とするようなものであり得る。したがって、ホログラム１００内のデータがコピーの際に破損し得るような形式である場合、コピーを企てている人物が、ホログラム内のデータを解読することもできた場合を除いて、ホログラム１００をコピーすることに成功したかどうかを判定することはできず、これは、関連ツール（例えば、特定のソフトウェア又は解読キーもしくはアルゴリズム）なしでは困難及び／又は不可能であり得る。したがって、共通暗号化された要素を含有する、第１データ、第２データ、及び／又はさらなるデータのうちの少なくとも２つは、コピーすることがなおさらに難しい場合がある点において、ホログラム１００の他の特徴と相乗効果がある場合がある。
【００７８】
第１画像、第２画像、及び／又はさらなる画像は、ＧＢ２５１４５６２又はＧＢ２５１４６３３に記載されるようなレンチキュラー配置であり得るか、又はそのようなレンチキュラー配置を含み得る。
【００７９】
図４を参照して以下により詳細に記載されるように、第１光学干渉構造は、照明時に第１波長の光で第１画像１１０を再生することができる。ホログラフィック媒体１０２はまた、照明時に第２波長の光で第２画像（図１には図示せず）を再生する、第２光学干渉構造を含み得る。追加的に、ホログラム１００は、図４を参照して記載されるホログラムの他の特徴のいずれかを含み得る。この方法では、ホログラム１００は、さらにより多くのデータを搬送することができ、かつ／又はコピーすることをなおさらに難しくすることができる。
【００８０】
図５を参照して以下により詳細に記載されるように、第１光学干渉構造は、照明時に第１角度で第１画像１１０を再生することができる。ホログラフィック媒体１０２はまた、照明時に第２角度で第２画像（図１には図示せず）を再生する、第２光学干渉構造を含み得る。追加的に、ホログラム１００は、図５を参照して記載されるホログラムの他の特徴のいずれかを含み得る。この方法では、ホログラム１００は、さらにより多くのデータを搬送することができ、かつ／又はコピーすることをなおさらに難しくすることができる。
【００８１】
図６及び７を参照して以下により詳細に記載されるように、第１光学干渉構造は、照明時に第１見かけの深さで第１画像を再生することができる。ホログラフィック媒体１０２はまた、照明時に第２見かけの深さで第２画像（図１には図示せず）を再生する、第２光学干渉構造を含み得る。追加的に、ホログラム１００は、図６及び７を参照して記載されるホログラムの他の特徴のいずれかを含み得る。この方法では、ホログラム１００は、さらにより多くのデータを搬送することができ、かつ／又はコピーすることをなおさらに難しくすることができる。
【００８２】
ホログラム１００は、ホログラフィック媒体１０２に、一連のレンチキュール１１２を含むレンチキュラーレンズ層１１１、及び一連のレンチキュールに対応する第１及び第２インターレース画像１１４、１１５を含むレンチキュラー画像層１１３の画像１１０を再生する、第１光学干渉構造を記録することによって作成され得る。
【００８３】
画像１１０は、光学干渉構造が画像１１０をインライン方式又はオフアクシス方式のいずれかで再生するような方法で、ホログラフィック媒体１０２に記録され得る。インラインプレイバックでは、ホログラム１００は、それが照明されるのと同じ視座から視認される。オフアクシスプレイバックでは、ホログラム１００は、それが照明されるのと異なる場所から視認される。再構築方法の選択は、（レーザが使用される場合の）レーザ波長などのホログラム記録条件、及びホログラフィック媒体１０２を作成する材料によって駆動される。ホログラムを記録する際、変倍方法を使用して、記録されたレンチキュラーアレイの再構築が、選択されたスキーム（インライン又はオフアクシス）とは無関係であるように見えるようにすることができる。ホログラム１００を作成する本方法の可能な利点は、第１画像１１０の再構築が、白色光で視認される場合にモノクロ再生を保つことができることである。
【００８４】
ホログラム１００を作成する本方法の別の可能な利点は、複数の画像１１４、１１５、１１６をホログラフィック媒体１０２に、ホログラフィック媒体１０２の多重露光なしに、記録することができることである。これは、潜在的に、多重露光を用いて複数の画像を単一のホログラフィック媒体に記録するよりも効率的なホログラム１００をもたらし得る。
【００８５】
図３を参照すると、ホログラム２２０へのレンチキュラーレンズ層２１０の組み合わせ２００が示されている。レンチキュラーレンズ層２１０は、一連のレンチキュール２１１を含む。ホログラム２２０は、ホログラフィック媒体レンチキュラー画像層２２１を含む。
【００８６】
レンチキュラー画像層２２１は、第１インターレース干渉構造と、第２インターレース干渉構造と、を含む。第１及び第２インターレース干渉構造は、一連のレンチキュール２１１に対応する。第１干渉構造は、照明時に第１画像２２２を再生する。第２干渉構造は、照明時に第２画像２２３を再生する。
【００８７】
第１及び第２画像２２２、２２３は、第１及び第２インターレース干渉構造が一連のレンチキュール２１１に対応する代わりに、一連のレンチキュール２１１に対応し得る。代替的に、第１及び第２画像２２２、２２３はまた、第１及び第２インターレース干渉構造が一連のレンチキュール２１１に対応するのと同様に、一連のレンチキュール２１１に対応し得る。
【００８８】
組み合わせは、次のように説明することができる。ホログラム２２０へのレンチキュラーレンズ層２１０の組み合わせ２００であって、レンチキュラーレンズ層２１０が、一連のレンチキュール２１１を含み、ホログラム２２０が、レンチキュラー画像層のホログラフィック画像２２１を含み、レンチキュラー画像層が、一連のレンチキュール２１１に対応する第１及び第２インターレース光学干渉構造を含み、第１光学干渉構造が、照明時に第１角度で第１画像２２２を再生し、第２光学干渉構造が、照明時に第２角度で第２画像２２３を再生する、組み合わせ２００。理解されるように、第１及び第２角度は通常、異なる。換言すれば、ホログラムは、レンチキュラー画像層のホログラフィック画像を含むものとして説明することができる。
【００８９】
第１及び第２インターレース干渉構造は一連のレンチキュール１１２に対応するため、組み合わせ２００を第１角度から視認すると、第１インターレース画像２２２が視認可能であり、組み合わせ２００を第２角度から視認すると、第２インターレース画像２２３が視認可能である。これは、図３に例示されている。第１場所、ひいては、第１角度から視認する、例えば、第１カメラ６０３によって視認すると、第１インターレース画像２２２が視認可能である。第１場所から視認すると、第１インターレース画像が完全な視野６０４として出現し得る。完全な第１インターレース画像の可能な視野６０４が、カメラ６０３に隣接して、図３に示されている。同様に、第２場所、ひいては、第２角度から視認する、例えば、第２カメラ６０５によって視認すると、第２インターレース画像２２３が視認可能である。第２場所から視認すると、第２インターレース画像が完全な視野６０６として出現し得る。完全な第２インターレース画像の可能な視野６０６が、カメラ６０５に隣接して、図３に示されている。
【００９０】
明らかになるように、第１及び第２光学干渉構造によって再生される第１及び第２画像２２２、２２３は、ホログラフィック画像である。したがって、第１及び第２画像２２２、２２３は二次元視野６０４、６０６として図３に描写されているが、第１及び第２画像２２２、２２３は、三次元画像である。
【００９１】
図１及び２を参照して例示されるホログラム１００と同様に、第１画像２２２は、第１データを含み得る。同様に、第２画像２２３は、第２データを含み得る。第１及び／又は第２データはまた、セキュリティ、検証、確証、識別、及び／又は認証データを含み得る。ホログラム１００並びに図１及び図２を参照して論じられるものと同様の利点を実現することができる。
【００９２】
ホログラフィック媒体レンチキュラー画像層２２１は、一連のレンチキュール２１１に対応する少なくとも１つのさらなるインターレース干渉構造を含むことができ、少なくとも１つのさらなるインターレース干渉構造は、照明時にさらなる画像（図示せず）を再生し得る。さらなるインターレース画像を含むことにより、組み合わせ２００は、所与のサイズの組み合わせ２００内にさらなる画像を含有することができる。組み合わせ２００内のレンチキュラー画像層はより複雑であるため、それをコピーすることはなおさらに困難であることも理解されよう。
【００９３】
さらなる画像（複数可）は、さらなるインターレース干渉構造（複数可）が一連のレンチキュール２１１に対応する代わりに、一連のレンチキュール２１１に対応し得る。代替的に、さらなる画像（複数可）はまた、さらなるインターレース干渉構造（複数可）が一連のレンチキュール２１１に対応するのと同様に、一連のレンチキュール２１１に対応し得る。
【００９４】
第１及び第２画像２２２、２２３と同様に、少なくとも１つのさらなるインターレース画像は、さらなるデータを含み得る。さらなるデータは、セキュリティ、検証、確証、識別、及び／又は認証データを含み得る。
【００９５】
第１データ、第２データ、及び／又はさらなるデータのうちの少なくとも２つは、共通暗号化された要素を含有し得る。これは、図１に例示されるホログラム１００に関連して上で論じられるものと同様の利点を提供し得る。
【００９６】
第１画像、第２画像、及び／又はさらなる画像２２２、２２３は、商標もしくは他の記章又はデバイスを含有し得る。例えば、図３に例示されるように、第２画像２２３は、商標であり得る。例えば、第２画像２２３がほとんどの角度で視認可能である一方、第１画像２２２は離散的な角度でしか視認可能でない場合がある。例えば、第１画像２２２は、狭い範囲、例えば、１０°、５°、３°、２°、１°の範囲にわたってのみ視認可能であり得る。当然のことながら、同様に、第１画像２２２は広い範囲にわたって視認可能であり、第２画像２２３は１０°、５°、３°、２°、１°などの狭い範囲にわたって視認可能である場合がある。かかる配置が有利である場合がある。例えば、組み合わせ２００を視認しているときに、商標（第２画像２２３）が支配的に出現するが、特定の角度から視認すると、第１画像２２２が視認可能になる場合がある。この方法では、第１画像２２２を、組み合わせ２００内に効果的に隠すことができる。
【００９７】
組み合わせ２００は、自然光の下で視認可能であり得る。例えば、太陽光又は人工的な部屋の照明装置。かかる事例では、第１画像、第２画像、及び／又はさらなる画像２２２、２２３のうちの少なくとも１つが自然光の下で視認可能であってもよい。
【００９８】
ホログラフィック媒体レンチキュラー画像層２２１は、第１画像、第２画像、及び／又はさらなる画像２２２、２２３を無色で、つまり、色なしで再生する場合がある。
【００９９】
組み合わせ２００は、一連のレンチキュール２１１を含むレンチキュラーレンズ層２１０と、ホログラフィック媒体２２１を含むホログラム２２０と、を提供することによって作成され得る。
【０１００】
製造のステップにおいて、レンチキュラーレンズ層２１０は、光学セメント又は光学接着剤、例えば、高屈折率を備えた光学セメントを使用して、ホログラムに固設され得る。
【０１０１】
方法はまた、ホログラフィック媒体にレンチキュラー画像層２２１を記録して、ホログラフィック媒体レンチキュラー画像層２２１を提供することを含む。記録することは、ホログラフィック媒体に、照明時に第１画像２２２を再生する第１光学干渉構造を記憶することと、ホログラフィック媒体に、照明時に第２画像２２３を再生する第２光学干渉構造を記憶することと、を含む。理解されるように、第１及び第２光学干渉構造は、インターレース干渉構造であり、一連のレンチキュール２１１に対応する。
【０１０２】
ホログラム１００と同様に、ホログラフィック媒体レンチキュラー画像層２２１は、インライン又はオフアクシスのいずれかの方式で記録され得る。図１及び図２に示されるホログラム１００に関連して上で論じられるものと同様の考慮が適用される。
【０１０３】
図４を参照すると、ホログラフィック媒体３０２を含む体積ホログラム３００が示されている。ホログラフィック媒体３０２は、照明時に第１波長の光６２３で、第１データを含む第１画像３１０を再生する、第１光学干渉構造を含む。ホログラフィック媒体３０２はまた、照明時に第２波長の光６３３で、第２データを含む第２画像３２０を再生する、第２光学干渉構造を含む。
【０１０４】
図１（上記）と同様の方法で、第１及び第２画像３１０、３２０は、それらを観察者が視認することができるように、図４に概略的に例示されている。しかしながら、第１及び第２画像３１０、３２０は、ホログラフィック媒体３０２の第１及び第２光学干渉構造によって再生されることが理解されなければならない。第１及び第２画像３１０、３２０は、ホログラム３００内の物理的な実体ではないが、説明の目的で図４にはそのように例示されている。
【０１０５】
図４では、図１（上記）と同様に、光源６２１、６３１、６４１からの光波６２３、６３３、６４３は、ホログラム３００のホログラフィック媒体３０２に入射するように示されている。さらに、ホログラム３００のホログラフィック媒体３０２によって再生された光波６２５、６３５、６４５は、第１カメラ６０３に向かって進行するように示されている。これらの光波６２５、６３５、６４５は、説明の目的で、第１画像、第２画像、及びさらなる画像３１０、３２０、３３０から発散されるように示されている。しかしながら、光波６２５、６３５、６４５は、実際には、ホログラムのホログラフィック媒体３０２から、具体的には、ホログラフィック媒体３０２の第１、第２、及びさらなる光学干渉構造から発散されることが理解されよう。
【０１０６】
したがって、ホログラム３００が有利であり得ることが理解されよう。第１に、ホログラムは、照明時に異なる波長の光で第１及び第２画像３１０、３２０を再生することによって、それらが照明時に同じ波長の光で表示された場合、例えば、画像が並んで配置された場合に、第１及び第２画像３１０、３２０の両方を再生するのに必要とされるよりも小さいホログラフィック媒体を可能にすることができる。したがって、ホログラム３００は、所与のサイズの全画像を再生するために必要とされ得るホログラフィック媒体が少ないという環境上の利益を提供し得る。
【０１０７】
さらに、ホログラムの光学コピーをより困難にすることができる。第１に、ホログラムを光学的にコピーしようと試みる場合、コピーを企てている人物が、第１画像３１０及び／又は第２画像３２０を観察するために、どの波長の光がホログラムを照明するかを必ずしも知っているとは限らない。例えば、コピーを企てている人物が、第１波長の光６２３を使用して第１画像３１０を再生することができるということを知っている場合、その人物は、第２波長の光を使用して第２画像３２０を再生することができるということに気がつかない場合がある。したがって、かかるコピーは、第２波長の光６４３でホログラム３００を照明し、第２画像３２０が存在しないか、又は視認可能ではないことを観察することによってコピーであることが判明する場合がある。
【０１０８】
ホログラフィック媒体３０２は、照明時にさらなる波長の光で、さらなるデータを含むさらなる画像３３０を再生する、少なくとも１つのさらなる光学干渉構造をさらに含み得る。かかるさらなる画像３３０を含むことにより、ホログラムは、所与のサイズのホログラム内にさらなる画像及びデータを含有することができる。かかるホログラム３００は、さらにより多くのデータを搬送することができ、かつ／又は、より複雑であるため、コピーすることをなおさらに難しくすることができる。
【０１０９】
ホログラフィック媒体３０２は、多数のさらなる画像３３０、例えば、２つ、３つ、４つ、５つ、６つ、又はそれ以上のさらなる画像を含み得る。
【０１１０】
第１波長、第２波長、又はさらなる波長は、ホログラフィック媒体３０２に使用されるタイプの材料に適した任意の波長であるように選択され得る。かかる複数の波長を単一のホログラムでの使用は、マルチスペクトルホログラムとして知られている場合がある。
【０１１１】
一例では、ホログラフィック媒体３０２は、フォトポリマーであり得るか、又はフォトポリマーを含み得る。第１波長、第２波長、又はさらなる波長は、４５７ｎｍ、５３２ｎｍ、及び６３３ｎｍであり得る。しかしながら、任意の好適な波長を使用することができる。
【０１１２】
例えば、第１波長の光６２３を第１レーザ６２１によって提供することができ、第１波長は、４５７ｎｍであり得る。第２波長の光６３３を第２レーザ６３１によって提供することができ、第２波長は、５３２ｎｍであり得る。さらなる波長の光６４３をさらなるレーザ６４１によって提供することができ、さらなる波長は、６３３ｎｍであり得る。追加的又は代替的に、第１波長、第２波長、及び／又はさらなる波長の光６２１、６３１、６４１をＬＥＤによって提供することができる。
【０１１３】
図４に例示されるように、上部に第１レーザ６２１がある場合、カメラ６０３は、光６２５によって例示される第１画像３１０を視認することができる。同様に、上部に第２レーザ６３１がある場合、カメラ６０３は、光６３５によって例示される第２画像３２０を視認することができる。さらに、上部にさらなるレーザ６４１がある場合、カメラ６０３は、光６４５によって例示されるさらなる画像３３０を視認することができる。しかしながら、光６２５、６３５、６４３はホログラフィック画像内では実際の画像ではないが、単に、説明の目的で例示されていることが理解されよう。
【０１１４】
第１データ、第２データ、及び／又はさらなるデータは、セキュリティ、検証、確証、識別、及び／又は認証データを含み得る。かかるデータを含むことは、図１及び２を参照して記載されるホログラム１００に関する上記の所与の理由に対して有利であり得る。
【０１１５】
第１データ、第２データ、及び／又はさらなるデータは、共通暗号化された要素を含有し得る。かかる共通暗号化された要素を含むことは、図１及び２を参照して記載されるホログラム１００に関する上記の所与の理由に対して有利であり得る。
【０１１６】
図１及び図２を参照して上で詳細に記載されるように、第１画像、第２画像、及び／又はさらなる画像３１０、３２０、３３０は、一連のレンチキュールを含むレンチキュラーレンズ層と、一連のレンチキュールに対応する第１及び第２インターレース画像を含むレンチキュラー画像層と、を含み得る。追加的に、ホログラム３００は、図１及び図２を参照して記載されるホログラムの他の特徴のいずれかを含み得る。この方法では、ホログラム３００は、さらにより多くのデータを搬送することができ、かつ／又はコピーすることをなおさらに難しくすることができる。
【０１１７】
図５を参照して以下により詳細に記載されるように、第１光学干渉構造は、照明時に第１角度で第１画像３１０を再生することができる。第２光学干渉構造は、照明時に第２角度で第２画像３２０を再生することができる。少なくとも１つのさらなる光学干渉構造は、照明時にさらなる角度でさらなる画像３３０を再生することができる。追加的に、ホログラム３００は、図５を参照して記載されるホログラムの他の特徴のいずれかを含み得る。この方法では、ホログラム３００は、さらにより多くのデータを搬送することができ、かつ／又はコピーすることをなおさらに難しくすることができる。
【０１１８】
図６及び図７を参照して以下により詳細に記載されるように、第１光学干渉構造は、照明時に第１見かけの深さで第１画像３１０を再生することができる。第２光学干渉構造は、照明時に第２見かけの深さで第２画像３２０を再生することができる。少なくとも１つのさらなる光学干渉構造は、照明時にさらなる見かけの深さでさらなる画像３３０を再生することができる。追加的に、ホログラム３００は、図６及び７を参照して記載されるホログラムの他の特徴のいずれかを含み得る。この方法では、ホログラム３００は、さらにより多くのデータを搬送することができ、かつ／又はコピーすることをなおさらに難しくすることができる。
【０１１９】
ホログラム３００は、方法であって、ホログラフィック媒体３０２に、照明時に第１波長の光で、第１データを含む第１画像３１０を再生する、第１光学干渉構造を記録することを含む、方法によって作成され得る。方法はまた、ホログラフィック媒体３０２に、照明時に第２波長の光で、第２データを含む第２画像３２０を再生する、第２光学干渉構造を記録することを含む。
【０１２０】
方法は、ホログラフィック媒体３０２に、照明時にさらなる波長の光で、さらなるデータを含むさらなる画像３３０を再生する、少なくとも１つのさらなる光学干渉構造を記憶することをさらに含み得る。
【０１２１】
典型的には、ホログラフィック媒体３０２内に光学干渉構造を記録するために使用される波長の光は、画像を再生するために使用される波長の光に対応する。
【０１２２】
ホログラム１００と同様に、ホログラフィック媒体レンチキュラー画像層３０２は、インライン又はオフアクシスのいずれかの方式で記録され得る。図１及び２に示されるホログラム１００に関連して上で論じられるものと同様の考慮が適用される。
【０１２３】
図５を参照すると、ホログラフィック媒体４０２を含む体積ホログラム４００が示されている。ホログラフィック媒体４０２は、照明時に第１角度で、第１データを含む第１画像４１０を再生する、第１光学干渉構造を含む。ホログラフィック媒体４０２はまた、照明時に第２角度で、第２データを含む第２画像４２０を再生する、第２光学干渉構造を含む。
【０１２４】
図１及び図４と同様の方法（上記）で、第１及び第２画像４１０、４２０は、それらを観察者が視認することができるように、図５に概略的に例示されている。しかしながら、第１及び第２画像４１０、４２０は、ホログラフィック媒体４０２の第１及び第２光学干渉構造によって再生されることが理解されなければならない。第１及び第２画像４１０、４２０は、ホログラム４００内の物理的な実体ではないが、説明の目的で図４にはそのように例示されている。
【０１２５】
図５では、図１及び図４（上記）と同様に、光源６２１、６３１、６４１からの光波６２３、６３３、６４３は、ホログラム４００のホログラフィック媒体４０２に入射するように示されている。さらに、ホログラム４００のホログラフィック媒体４０２によって再生された光波６２５、６３５、６４５は、第１カメラ６０３に向かって進行するように示されている。これらの光波６２５、６３５、６４５は、説明の目的で、第１画像、第２画像、及びさらなる画像４１０、４２０、４３０から発散されるように示されている。しかしながら、光波６２５、６３５、６４５は、実際には、ホログラムのホログラフィック媒体４０２から、具体的には、ホログラフィック媒体４０２の第１、第２、及びさらなる光学干渉構造から発散されることが理解されよう。
【０１２６】
したがって、ホログラム４００が有利であり得ることが理解されよう。第１に、ホログラムは、照明時に異なる角度で第１及び第２画像４１０、４２０を再生することによって、それらが照明時に異なる角度で表示されなかった場合、例えば、画像が並んで配置された場合に、第１及び第２画像４１０、４２０の両方を再生するのに必要とされ得るよりも小さいホログラフィック媒体で、第１及び第２画像４１０、４２０の両方を再生することができる。したがって、ホログラム４００は、所与のサイズの全画像を再生するために必要とされ得るホログラフィック媒体が少ないという環境上の利益を提供し得る。
【０１２７】
さらに、ホログラムの光学コピーをより困難にすることができる。第１に、ホログラムを光学的にコピーしようと試みる場合、コピーを企てている人物が、第１画像４１０及び／又は第２画像４２０を観察するために、どの角度がホログラムを照明するかを必ずしも知っているとは限らない。例えば、コピーを企てている人物が、第１角度で光６２３を使用して第１画像４１０を再生することができるということを知っている場合、その人物は、第２角度で光６３３を使用して第２画像４２０を再生することができるということに気がつかない場合がある。したがって、かかるコピーは、第２角度でホログラム４００を照明し、第２画像４２０が存在しないか、又は視認可能ではないことを観察することによってコピーであることが判明する場合がある。
【０１２８】
ホログラフィック媒体は、照明時にさらなる角度で、さらなるデータを含むさらなる画像４３０を再生する、少なくとも１つのさらなる光学干渉構造をさらに含み得る。かかるさらなる画像４３０を含むことにより、ホログラムは、所与のサイズのホログラム内にさらなる画像及びデータを含有することができる。かかるホログラム４００は、さらにより多くのデータを搬送することができ、かつ／又は、より複雑であるため、コピーすることをなおさらに難しくすることができる。
【０１２９】
ホログラフィック媒体４０２は、多数のさらなる画像４３０、例えば、２つ、３つ、４つ、５つ、６つ、又はそれ以上のさらなる画像を含み得る。
【０１３０】
第１角度、第２角度、又はさらなる角度は、ホログラフィック媒体３０２に使用されるタイプの材料に適した任意の角度であるように選択され得る。
【０１３１】
例えば、第１画像４１０が照明のほとんどの角度で視認可能である一方、第２画像４２０は照明の離散的な角度でしか視認可能でない場合がある。例えば、第２画像４２０は、照明の狭い範囲、例えば、１０°、５°、３°、２°、１°の範囲にわたってのみ視認可能であり得る。当然のことながら、同様に、第２画像４２０は照明の広い範囲にわたって視認可能であり、第１画像４１０は１０°、５°、３°、２°、１°など、照明の狭い範囲にわたって視認可能である場合がある。かかる配置が有利である場合がある。例えば、概してホログラム４００を視認しているときに、第１画像４１０が支配的に出現するが、特定の角度から照明されて視認すると、第２画像４２０が視認可能になる場合がある。この方法では、第２画像４２０を、ホログラム４００内に効果的に隠すことができる。したがって、コピーを企てている人物は、第２画像４２０を含まないホログラム４００をコピーする場合がある。したがって、かかるコピーは、第２角度でホログラム４００を照明し、第２画像４２０が存在しないか、又は視認可能ではないことを観察することによってコピーであることが判明する場合がある。したがって、ホログラムの光学コピーをより困難にすることができる。
【０１３２】
第１データ、第２データ、及び／又はさらなるデータは、セキュリティ、検証、確証、識別、及び／又は認証データを含み得る。かかるデータを含むことは、図１及び図２を参照して記載されるホログラム１００に関する上記の所与の理由に対して有利であり得る。
【０１３３】
第１データ、第２データ、及び／又はさらなるデータは、共通暗号化された要素を含有し得る。かかる共通暗号化された要素を含むことは、図１及び２を参照して記載されるホログラム１００に関する上記の所与の理由に対して有利であり得る。
【０１３４】
図１及び図２を参照して上で詳細に記載されるように、第１画像、第２画像、及び／又はさらなる画像４１０、４２０、４３０は、一連のレンチキュールを含むレンチキュラーレンズ層と、一連のレンチキュールに対応する第１及び第２インターレース画像を含むレンチキュラー画像層と、を含み得る。追加的に、ホログラム４００は、図１及び２を参照して記載されるホログラムの他の特徴のいずれかを含み得る。この方法では、ホログラム４００は、さらにより多くのデータを搬送することができ、かつ／又はコピーすることをなおさらに難しくすることができる。
【０１３５】
図４を参照して上で詳細に記載されるように、第１光学干渉構造は、照明時に第１波長の光で第１画像４１０を再生することができる。第２光学干渉構造は、照明時に第２波長の光で第２画像４２０を再生することができる。少なくとも１つのさらなる光学干渉構造は、照明時にさらなる波長の光でさらなる画像を再生することができる。追加的に、ホログラム４００は、図４を参照して記載されるホログラムの他の特徴のいずれかを含み得る。この方法では、ホログラム４００は、さらにより多くのデータを搬送することができ、かつ／又はコピーすることをなおさらに難しくすることができる。
【０１３６】
図６及び図７を参照して以下により詳細に記載されるように、第１光学干渉構造は、照明時に第１見かけの深さで第１画像４１０を再生することができる。第２光学干渉構造は、照明時に第２見かけの深さで第２画像４２０を再生することができる。
少なくとも１つのさらなる光学干渉構造は、照明時にさらなる見かけの深さでさらなる画像４３０を再生することができる。追加的に、ホログラム４００は、図６及び図７を参照して記載されるホログラムの他の特徴のいずれかを含み得る。この方法では、ホログラム４００は、さらにより多くのデータを搬送することができ、かつ／又はコピーすることをなおさらに難しくすることができる。
【０１３７】
ホログラム４００は、方法であって、ホログラフィック媒体４０２に、照明時に第１角度で、第１データを含む第１画像４１０を再生する、第１光学干渉構造を記録することを含む、方法によって作成され得る。方法はまた、照明時に第２角度で、第２データを含む第２画像４２０を再生する、第２光学干渉構造を記録することを含む。
【０１３８】
方法は、ホログラフィック媒体４０２に、照明時にさらなる角度で、さらなるデータを含むさらなる画像４３０を再生する、少なくとも１つのさらなる光学干渉構造を記憶することをさらに含み得る。
【０１３９】
ホログラム１００と同様に、第１画像、第２画像、及び／又はさらなる画像４１０、４２０、４３０は、インライン又はオフアクシスのいずれかの方式で記録され得る。図１及び図２に示されるホログラム１００に関連して上で論じられるものと同様の考慮が適用される。
【０１４０】
図６及び図７を参照すると、ホログラフィック媒体５０２を含む体積ホログラム５００が示されている。ホログラフィック媒体５０２は、照明時に第１見かけの深さで、第１データを含む第１画像５１０を再生する、第１光学干渉構造を含む。ホログラフィック媒体５０２はまた、照明時に第２見かけの深さで、第２データを含む第２画像５２０を再生する、第２光学干渉構造を含む。
【０１４１】
図１、図４、及び図５と同様の方法（上記）で、第１及び第２画像５１０、５２０は、それらを観察者が視認することができるように、図６及び７に概略的に例示されている。しかしながら、第１及び第２画像５１０、５２０は、ホログラフィック媒体５０２の第１及び第２光学干渉構造によって再生されることが理解されなければならない。第１及び第２画像５１０、５２０は、ホログラム５００内の物理的な実体ではないが、説明の目的で図６及び図７にはそのように例示されている。
【０１４２】
図６では、図１、図４、及び図５（上記）と同様に、光源６２１、６３１、６４１からの光波６２３、６３３、６４３は、ホログラム５００のホログラフィック媒体５０２に入射するように示されている。さらに、ホログラム５００のホログラフィック媒体５０２によって再生された光波６２５、６３５、６４５は、第１カメラ６０３に向かって進行するように示されている。これらの光波６２５、６３５、６４５は、説明の目的で、第１画像、第２画像、及びさらなる画像５１０、５２０、５３０から発散されるように示されている。しかしながら、光波６２５、６３５、６４５は、実際には、ホログラムのホログラフィック媒体５０２から、具体的には、ホログラフィック媒体５０２の第１、第２、及びさらなる光学干渉構造から発散されることが理解されよう。
【０１４３】
したがって、ホログラム５００が有利であり得ることが理解されよう。第１に、ホログラム５００は、第２画像５２０の深さとは異なる深さで第１画像５１０を再生することによって、それらが異なる深さで表示されなかった場合、例えば、画像が並んで配置された場合に、第１及び第２画像５１０、５２０の両方を再生するのに必要とされ得るよりも小さいホログラフィック媒体で、第１及び第２画像５１０、５２０の両方を再生することができる。したがって、ホログラム５００は、所与のサイズの全画像を再生するために必要とされ得るホログラフィック媒体が少ないという環境上の利益を提供し得る。
【０１４４】
さらに、ホログラム５００の光学コピーをより困難にすることができる。ホログラム５００を光学的にコピーしようと試みる場合、コピーを企てている人物は、第１及び第２画像５１０、５２０が重なり合っているため、それらを完全に観察することができない場合がある。したがって、コピーを企てている人物は、ホログラム５００のコピーを生成することができない場合がある。
【０１４５】
ホログラフィック媒体５０２は、照明時にさらなる深さで、さらなるデータを含むさらなる画像５３０を再生する、少なくとも１つのさらなる光学干渉構造をさらに含み得る。かかるさらなる画像５３０を含むことにより、ホログラムは、所与のサイズのホログラム内にさらなる画像及びデータを含有することができる。かかるホログラム５００は、さらにより多くのデータを搬送することができ、かつ／又は、より複雑であるため、コピーすることをなおさらに難しくすることができる。
【０１４６】
ホログラフィック媒体５０２は、多数のさらなる画像５３０、例えば、２つ、３つ、４つ、５つ、６つ、又はそれ以上のさらなる画像を含み得る。
【０１４７】
第１データ、第２データ、及び／又はさらなるデータは、セキュリティ、検証、確証、識別、及び／又は認証データを含み得る。かかるデータを含むことは、図１及び図２を参照して記載されるホログラム１００に関する上記の所与の理由に対して有利であり得る。
【０１４８】
第１データ、第２データ、及び／又はさらなるデータは、共通暗号化された要素を含有し得る。かかる共通暗号化された要素を含むことは、図１及び図２を参照して記載されるホログラム１００に関する上記の所与の理由に対して有利であり得る。
【０１４９】
図１及び図２を参照して上で詳細に記載されるように、第１画像、第２画像、及び／又はさらなる画像５１０、５２０、５３０は、一連のレンチキュールを含むレンチキュラーレンズ層と、一連のレンチキュールに対応する第１及び第２インターレース画像を含むレンチキュラー画像層と、を含み得る。追加的に、ホログラム５００は、図１及び図２を参照して記載されるホログラムの他の特徴のいずれかを含み得る。この方法では、ホログラム５００は、さらにより多くのデータを搬送することができ、かつ／又はコピーすることをなおさらに難しくすることができる。
【０１５０】
図４を参照して上で詳細に記載されるように、第１光学干渉構造は、照明時に第１波長の光で第１画像５１０を再生することができる。第２光学干渉構造は、照明時に第２波長の光で第２画像５２０を再生することができる。少なくとも１つのさらなる光学干渉構造は、照明時にさらなる波長の光でさらなる画像５３０を再生することができる。追加的に、ホログラム５００は、図４を参照して記載されるホログラムの他の特徴のいずれかを含み得る。この方法では、ホログラム５００は、さらにより多くのデータを搬送することができ、かつ／又はコピーすることをなおさらに難しくすることができる。
【０１５１】
図５を参照して上で詳細に記載されるように、第１光学干渉構造は、照明時に第１角度で第１画像５１０を再生することができる。第２光学干渉構造は、照明時に第２角度で第２画像５２０を再生することができる。少なくとも１つのさらなる光学干渉構造５３０は、照明時にさらなる角度でさらなる画像を再生することができる。追加的に、ホログラム５００は、図５を参照して記載されるホログラムの他の特徴のいずれかを含み得る。この方法では、ホログラム５００は、さらにより多くのデータを搬送することができ、かつ／又はコピーすることをなおさらに難しくすることができる。
【０１５２】
ホログラム５００は、方法であって、ホログラフィック媒体５０２に、第１見かけの深さで、第１データを含む第１画像５１０を再生する、第１光学干渉構造を記録することと、第２見かけの深さで、第２データを含む第２画像５２０を再生する、第２光学干渉構造を記録することと、を含む、方法によって作成され得る。
【０１５３】
方法は、ホログラフィック媒体５０２に、照明時にさらなる角度で、さらなるデータを含むさらなる画像５３０を再生する、少なくとも１つのさらなる光学干渉構造を記憶することをさらに含み得る。
【０１５４】
ホログラム１００と同様に、第１画像、第２画像、及び／又はさらなる画像５１０、５２０、５３０は、インライン又はオフアクシスのいずれかの方式で記録され得る。図１及び２に示されるホログラム１００に関連して上で論じられるものと同様の考慮が適用される。
【０１５５】
ホログラム１００、３００、４００、５００、及び組み合わせ２００は、多くの用途を有する。例えば、ホログラム１００、３００、４００、５００、及び組み合わせ２００は、セキュリティマーカー内に含まれ得る。
【０１５６】
ホログラム１００、３００、４００、５００、及び組み合わせ２００は、物品内に含まれ得る。物品は、デザイナーズ商品、ビデオ媒体、又は紙幣などの高付加価値品目であり得る。
【０１５７】
ホログラム１００、３００、４００、５００、及び組み合わせ２００は、パッケージング又はラベリング内に含まれ得る。パッケージングは、高付加価値品目、例えば、デザイナーズ商品又はビデオ媒体などの物品のためのパッケージングであり得る。物品は、パッケージング又はラベリングなどと共に提供され得る。
【０１５８】
明らかになるように、ホログラム１００、３００、４００、５００、及び組み合わせ２００を、物品、パッケージング、及び／又はラベリングの中又は上に含めることにより、物品の認証性を検証することが可能となる。
【０１５９】
本明細書及び特許請求の範囲で使用される場合、「含む（ｃｏｍｐｒｉｓｅｓ）」及び「含む（ｃｏｍｐｒｉｓｉｎｇ）」という用語、並びにそれらの変形例は、指定された特徴、ステップ、又は整数が含まれることを意味する。これらの用語は、他の特徴、ステップ、又は構成要素の存在を排除するように解釈されるべきではない。
【０１６０】
理解されるように、画像がデータを含むものとして記載されている場合、その画像は、データを含有するものとして追加的又は代替的に記載され得る。
【０１６１】
特定の形態で、あるいは開示される機能を実施するための手段、又は開示される結果を達成するための方法もしくはプロセスの観点から表現される、前述の説明、もしくは以下の特許請求の範囲、又は添付の図面に開示される特徴は、必要に応じて、別個に、又はかかる特徴の任意の組み合わせで、本発明をその多様な形態で実現するために利用され得る。
【図１】
2021500604.tif 000003
【図２】
2021500604.tif 000004
【図３】
2021500604.tif 000005
【図４】
2021500604.tif 000006
【図５】
2021500604.tif 000007
【図６】
2021500604.tif 000008
【図７】
2021500604.tif 000009
【国際調査報告】
2021500604.tif 000010
2021500604.tif 000011
2021500604.tif 000012
2021500604.tif 000013
2021500604.tif 000014
2021500604.tif 000015
2021500604.tif 000016